(57)【特許請求の範囲】
【請求項１】
首に掛けて垂らす装飾チェーンの途中に係止するようにしたデザインパーツ（１）であって、前記デザインパーツ（１）は、貫通される装飾チェーンの直径より大きな貫通孔（１ａ）の貴金属製パイプ（２）の中に彈性材チューブ（３）を一体に嵌合した素材（４）を軸周りに間欠的に回転させながら軸方向に間欠的に移動させる間に、前記移動方向の後方側から前方側に行くに従って順次半殻体（１ｃ′）の形状に近づくように複数の凹型（５１，５２，５３，５４）を形成した一対の金型（５，５）により間欠的にプレスして、殻体（１ｃ）の中に、中空の彈性材（１ｄ）を有するデザインパーツ（１）を連接して形成し、この連接して形成されたデザインパーツ（１）および前記デザインパーツ（１）内の中空の彈性材（１ｄ）を連接部分から切り離し、前記連接部分（１ｅ）における前記彈性材（１ｄ）の連接状態を解放し、前記連接部分（１ｅ）における前記彈性材（１ｄ）に自己収縮力による装飾チェーンの直径より小さな貫通孔（１ａ′）を設けてなることを特徴とする装飾チェーンのデザインパーツ。
【請求項２】
貫通される装飾チェーンの直径より大きな貫通孔（１ａ）の貴金属製パイプ（２）の中に彈性材チューブ（３）を有する素材（４）を製造する工程と、前記素材（４）を間欠的に回転させるとともに軸は沿う方向に間欠的に移動させる工程と、前記移動方向の後方側から前方側に行くに従って順次半殻体（１ｃ′）の形状に近づくように複数の凹型（５１，５２，５３，５４）を形成した一対の金型（５，５）で、前記素材（４）を間欠的にプレスして、殻体（１ｃ）の中に中空の彈性材（１ｄ）を有するデザインパーツ（１）を連接して形成する工程と、この連接して形成されたデザインパーツ（１）および前記デザインパーツ（１）内の中空の彈性材（１ｄ）を連接部分（１ｅ）から切り離し、前記連接部分（１ｅ）における前記彈性材（１ｄ）の連接状態を解放し、前記連接部分（１ｅ）における前記彈性材（１ｄ）に自己収縮力による装飾チェーンの直径より小さな貫通孔（１ａ′）を設ける工程とよりなることを特徴とする装飾チェーン用のデザインパーツの製造方法。
【請求項３】
貫通される装飾チェーンの直径より大きな貫通孔（１ａ）の貴金属製パイプ（２）の中に彈性材チューブ（３）を有する素材（４）を製造する工程と、前記素材（４）を回転させることなく軸に沿う方向に間欠的に移動させる工程と、半殻体（１ｃ′）の形状に類似した複数の凹型（５１′，５２′，５３′，５４′）を形成した一対の金型（５，５）で、前記素材（４）を間欠的にプレスして、殻体（１ｃ）の中に中空の彈性材（１ｄ）を有するデザインパーツ（１）を連接して形成する工程と、この連接して形成されたデザインパーツ（１）および前記デザインパーツ（１）内の中空の中空の彈性材（１ｄ）を連接部分（１ｅ）から切離し、前記連接部分（１ｅ）における前記彈性材（１ｄ）の連接状態を解放し、前記連接部分（１ｅ）における前記彈性材（１ｄ）に自己収縮力による装飾チェーンの直径より小さな貫通孔（１ａ′）を設ける工程とよりなることを特徴とする装飾チェーン用のデザインパーツの製造方法。
【発明の詳細な説明】
【０００１】
【発明の属する技術分野】
この発明は、首に掛けて垂らす装飾チェーンの途中に係止するようにしたデザインパーツおよびその製造方法に関するものである。
【０００２】
【従来の技術】
図６は従来の装飾チェーン用のデザインパーツの製造方法の一例を示す概念図である。この例はデザインパーツを貴金属の丸球にて構成した例を示すものであり、第１工程は先ず半球型１１ａおよび１１ｂをロウ付け加工あるいは熱溶着加工によって丸球１１を形成し、この丸球１１の対向した位置に孔部１４，１４を穿孔する。第２工程はこの丸球１１を型１６内にセットし、未架橋シリコンゴムを丸球１１内の空洞部１３内に流し込み、この状態を維持して加熱して架橋させシリコンエラストマー１５が丸球１１内に充填された構造とする。第３工程はシリコンエラストマー１５に針状物にて小さな孔部１７を開ける工程であり、最後に第４工程で孔部１７内にチェーン１２を挿通してチェーン状装身具が完成するものである。
【０００３】
【発明が解決しようとする課題】
ところが、前記従来のデザインパーツの製造方法では、先ず半球型１１ａおよび１１ｂをロウ付け加工あるいは熱溶着加工によって丸球１１を形成してこれに孔部１４，１４を穿孔し、この丸球１１を型１６内にセットし、未架橋シリコンゴムを丸球１１内の空洞部１３内に流し込み、この状態を維持して加熱して架橋させて、シリコンエラストマー１５が丸球１１内に充填され、このシリコンエラストマー１５に針状物にて小さな孔部１７を開け、この孔部１７内にチェーン１２を挿通しなければならず、そのデザインパーツが小さくなればなるほど、製造が面倒で、製造コストが高くなるといった問題があった。
この発明は、製造が簡単で製造コストが安く製造することができる装飾チェーン用のデザインパーツとその製造方法を提供することを目的としたものである。
【０００４】
【課題を解決するための手段】
前記目的を達成するために、請求項１に係る発明は、首に掛けて垂らす装飾チェーンの途中に係止するようにしたデザインパーツであって、前記デザインパーツは、貫通される装飾チェーンの直径より大きな貫通孔の貴金属製パイプの中に弾性材チューブを一体に嵌合した素材を軸周りに間欠的に回転させながら軸方向に間欠的に移動させる間に、前記移動方向の後方側から前方側に行くに従って順次半殻体の形状に近づくように複数の凹型を形成した一対の金型により間欠的にプレスして、殻体の中に、中空の弾性材を有するデザインパーツを連接して形成し、この連接して形成されたデザインパーツを連接部分から切り離し、前記連接部分の前記弾性材に自己収縮力による装飾チェーンの直径より小さな貫通孔を設けてなることを特徴とする装飾チェーン用のデザインパーツとしたものである。
【０００５】
また、請求項２に係る発明は、貫通される装飾チェーンの直径より大きな貫通孔の貴金属製パイプの中に弾性材チューブを有する素材を製造する工程と、前記素材を間欠的に回転させるとともに軸に沿う方向に間欠的に移動させる工程と、前記移動方向の後方側から前方側に行くに従って順次半殻体の形状に近づくように複数の凹型を形成した一対の金型で、前記素材を間欠的にプレスして、殻体の中に中空の弾性材を有するデザインパーツを連接して形成する工程と、この連接して形成されたデザインパーツを連接部分から切り離し、前記連接部分の前記弾性材に自己収縮力による装飾チェーンの直径より小さな貫通孔を設ける工程とよりなることを特徴とする装飾チェーン用のデザインパーツの製造方法としたものである。
【０００６】
また、請求項３に係る発明は、貫通される装飾チェーンの直径より大きな貫通孔の貴金属製パイプの中に弾性材チューブを有する素材を製造する工程と、前記素材を回転させることなく軸に沿う方向に間欠的に移動させる工程と、半殻体の形状に類似した複数の凹型を形成した一対の金型で、前記素材を間欠的にプレスして、殻体の中に中空の弾性材を有するデザインパーツを連接して形成する工程と、この連接して形成されたデザインパーツを連接部分から切り離し、前記連接部分の前記弾性材に自己収縮力による装飾チェーンの直径より小さな貫通孔を設ける工程とよりなることを特徴とする装飾チェーン用のデザインパーツの製造方法としたものである。
【０００７】
【発明の実施の形態】
図１はこの発明の装飾チェーン用のデザインパーツの実施の形態を示すもので、首に掛けて垂らす装飾チェーンの途中に係止するようにしたデザインパーツ１であって、貫通される装飾チェーンの直径より僅かに大きな貫通孔１ａ，１ｂが対向した位置の２箇所に穿設された、金や銀やプラチナなどの貴金属製の殻体１ｃの中に、前記貫通孔１ａ，１ｂに対応して装飾チェーンの直径より小さな貫通孔１ａ′，１ｂ′が形成された中空の弾性材１ｄを有するように形成ものである。
前記中空の弾性材１ｄとしては、例えばシリコンゴムや天然ゴムや軟質プラスチックなどである。
また、前記貴金属製の殻体１ｃの形状は、図１に示すように、球体としたり、図示しないが、ミラーボール状としてもよい。
【０００８】
また、請求項２に係る発明の装飾チェーン用のデザインパーツ１の製造方法は、図２に示すように、貫通される装飾チェーンの直径より大きな貫通孔の金や銀やプラチナなどの貴金属製パイプ２の中に、シリコンゴムや天然ゴムや軟質プラスチックなどの弾性材チューブ３を挿入した素材４を製造する工程と、図３、図４に示すように、前記素材４を矢印Ａで示すように間欠的に回転させるとともに、矢印Ｂで示すように軸に沿う方向に間欠的に移動させる工程と、前記移動方向の後方側から前方側に行くに従って順次半殻体１ｃ′の形状に近づくように複数の凹型５１，５２，５３，５４を形成した一対の金型５，５で、前記素材４を間欠的にプレスして、殻体１ｃの中に中空の弾性材１ｄを有するデザインパーツ１を連接形成する工程と、連接形成されたデザインパーツ１を連接部分１ｅから適宜の截断工具で切り離し、前記連接部分１ｅの前記弾性材１ｄに自己収縮力による装飾チェーンの直径より小さな貫通孔１ａ′を設ける工程とよりなるものである。
【０００９】
また、請求項３に係る発明の装飾チェーン用のデザインパーツ１の製造方法は、図２に示すように、貫通される装飾チェーンの直径より大きな貫通孔の金や銀やプラチナなどの貴金属製パイプ２の中に、シリコンゴムや天然ゴムや軟質プラスチックなどの弾性材チューブ３を挿入した素材４を製造する工程と、図３、図４に示すように、前記素材４を矢印Ａ方向への間欠回転を省き、矢印Ｂで示すように軸に沿う方向にのみ間欠的に移動させる工程と、半殻体１ｃ′の形状に類似した複数の凹型５１′，５２′，５３′，５４′を形成した一対の金型５，５で、前記素材４を間欠的にプレスして、殻体１ｃの中に中空の弾性材１ｄを有するデザインパーツ１を連接して形成する工程と、この連接して形成されたデザインパーツ１を連接部分１ｅから切り離し、前記連接部分１ｅの前記弾性材１ｄに自己収縮力による装飾チェーンの直径より小さな貫通孔１ａ′を設ける工程とよりなるものである。
【００１０】
なお、請求項３に係る発明において、前記素材４を矢印Ｂで示すように、軸に沿う方向に間欠的に移動させる移動ピッチは、形成される４個のデザインパーツ１の直径を合計した長さに相当するようになっている。したがって、一対の金型５，５の１回のプレスで４個のデザインパーツ１を形成することができる。この１回のプレスで形成されるデザインパーツ１の数は、一対の金型５，５の設計によって増減させることは可能である。
【００１１】
なお、請求項２に係る発明において、前記素材４を矢印Ａで示すように、間欠的に回転させる手段、および前記素材４を軸に沿う方向に間欠的に移動させる手段としては、周知の種々の手段が採用可能であるので、ここではその具体例は図示しない。
【００１２】
図５（ａ），（ｂ），（ｃ）は前記のようにして製造されたこの発明のデザインパーツを用いて作られた装飾チェーンの各使用例を示す図であり、（ａ）は図１に示すようなデザインパーツ１の殻体１ｃに形成された貫通孔１ａ，１ｂおよび中空の弾性材１ｄに形成された貫通孔１ａ′，１ｂ′に任意の手段で装飾チェーン６の折曲部６′を挿通する。この折曲部６′の端には飾り具７が取り付けられ、装飾チェーン６の両端には係止具８，８′が取り付けられて装飾チェーンが作られている。
このように装飾チェーン６に取り付けられたデザインパーツ１を、矢印ａ，ｂに示すように動かすと、デザインパーツ１の中の中空の弾性材１ｄの弾性によって、デザインパーツ１は動かした位置に保持される。（ｂ）は他の使用例を示す図であり、装飾チェーン６の一端１０′はデザインパーツ１の殻体１ｃに取付けられ、他端１０″は前記デザインパーツ１の殻体１ｃに形成された貫通孔１ａ，１ｂおよび中空の弾性材１ｄに形成された貫通孔１ａ′，１ｂ′に挿通され、その先端には装飾チェーン抜け止め部材９が取付けられているものである。（ｃ）はデザインパーツ１を適宜の固着手段により一対のものとし、各デザインパーツ１の殻体１ｃに形成された貫通孔１ａ，１ｂおよび中空の弾性材１ｄに形成された貫通孔１ａ′，１ｂ′に装飾チェーン６の各端部１０′，１０″を挿通したものである。
【００１３】
【発明の効果】
請求項１に係る発明の装飾チェーン用のデザインパーツは、貫通される装飾チェーンの直径より僅かに大きな貫通孔が対向した位置の２箇所に穿設された貴金属製の殻体の中に、前記貫通孔に対応してそれぞれ装飾チェーンの直径より小さな貫通孔を設けた中空の弾性材を有するように形成されているので、前記貴金属製の殻体の対向した２箇所に穿設された貫通孔から、殻体の中の中空の弾性材の貫通孔に、直接または針金その他任意の手段で容易に装飾チェーンを挿通することができる。
【００１４】
また、請求項２，３に係る発明のような装飾チェーン用のデザインパーツの製造方法としたことにより、装飾チェーン用のデザインパーツの製造が極めて簡単となり、製造コストも安く製造することができる。
【図面の簡単な説明】
【図１】請求項１に係る発明の装飾チェーン用のデザインパーツの実施の形態を示す断面図である。
【図２】請求項２に係る発明の装飾チェーン用のデザインパーツの製造方法で用いる素材の断面図である。
【図３】請求項２に係る発明の装飾チェーンのデザインパーツの製造方法を示す図である。
【図４】請求項２に係る発明の装飾チェーンのデザインパーツの製造方法を示す図である。
【図５】（ａ），（ｂ），（ｃ）はこの発明のデザインパーツを用いた装飾チェーンの各使用例を示す図である。
【図６】従来の装飾チェーンのデザインパーツの製造方法を示す図である。
【符号の説明】
１      デザインパーツ
１ａ，１ａ′    貫通孔
１ｂ，１ｂ′    貫通孔
１ｃ    殻体
１ｃ′  半殻体
１ｄ    弾性材
１ｅ    連接部分
２      貴金属製パイプ
３      弾性材チューブ
４      素材
５      金型
５１，５２，５３，５４    凹型
５１′，５２′，５３′，５４′    凹型
６      装飾チェーン
６′    折曲部
７      飾り具
８，８′  係止具
９      装飾チェーン抜け止め部材
１０′  一端部
１０″  他端部
【図１】
0003608150.tif 000002
【図２】
0003608150.tif 000003
【図３】
0003608150.tif 000004
【図４】
0003608150.tif 000005
【図５】
0003608150.tif 000006
【図６】
0003608150.tif 000007